(57)【特許請求の範囲】
【請求項１】
トイレットペーパロールを回動可能に保持するホルダ部が少なくとも２個ある多列トイレットペーパホルダの使用方法であって、
少なくとも１個の前記ホルダ部には前記トイレットペーパロールを回動可能に保持し、少なくとも１個の該ホルダ部にはロール状のリモコンを保持することを特徴とする多列トイレットペーパホルダの使用方法。
【発明の詳細な説明】
【０００１】
【発明の属する技術分野】
本発明は多列トイレットペーパホルダの使用方法に関する。
【０００２】
【従来の技術】
従来、トイレ室では、図４に示すように、シャワートイレ等の電気制御可能な便器装置９２が設けられているとともに、この便器装置９２の周辺の壁面９１にその便器装置９２を作動可能なリモコン９６、棚９３、トイレットペーパーホルダ９４、タオル掛け９５等が設けられ得る。ここで、トイレットペーパホルダ９４は、トイレットペーパロール９４ａを回動可能に保持するホルダ部９４ｂを有している。
【０００３】
かかるトイレットペーパホルダ９４としては、トイレットペーパロール９４ａが使用者によって順次消費されるのものであるため、随時、新たなトイレットペーパロール９４ａを補充する必要が生じることから、図５に示すように、使用中のトイレットペーパロール９４ａとともに補充用のトイレットペーパロール９４ｃを並列して保持可能なホルダ部９４ｂ、９４ｄをもつ二列トイレットペーパーホルダ９７も知られている。
【０００４】
【発明が解決しようとする課題】
しかし、単に多列トイレットペーパホルダに使用中のトイレットペーパロールと補充用のトイレットペーパロールとを保持するだけでは、使用者がトイレ室内で種々のものを真に利用しやすいとは限らず、かつトイレ室の煩雑化を招来してしまう。
【０００５】
すなわち、トイレ室内には、便器装置を作動可能なリモコンや芳香剤が備え付けられ得る。また、多列トイレットペーパホルダが二列のものであれば、補充用のトイレットペーパロールが一つあるだけであり、もっと多くのトイレットペーパロールを補充用として確保しておきたいという要望もあり得る。このようなリモコン、芳香剤及び多くの補充用のトイレットペーパロールをトイレ室内に備える場合、それらがトイレ室内の様々な個所に設けられたのでは、使用者がそれらを利用しやすいとは言い難く、かつトイレ室の煩雑化を招来してしまう。
【０００６】
本発明は、上記従来の実情に鑑みてなされたものであり、使用者がトイレ室内に備え付けられる種々のものを真に利用しやすく、かつトイレ室内の整頓を可能にすることを解決すべき課題としている。
【０００７】
【課題を解決するための手段】
発明者らは、上記課題解決のため、多列トイレットペーパホルダの機能に着目し、以下の多列トイレットペーパホルダの利便的な使用方法を発明した。
【０００８】
（１）本発明の多列トイレットペーパホルダの使用方法は、トイレットペーパロールを回動可能に保持するホルダ部が少なくとも２個ある多列トイレットペーパホルダの使用方法であって、
少なくとも１個の前記ホルダ部には前記トイレットペーパロールを回動可能に保持し、少なくとも１個の該ホルダ部にはロール状のリモコンを保持することを特徴とする。
【０００９】
本発明の使用方法では、多列トイレットペーパホルダの少なくとも１個のホルダ部にトイレットペーパロールが回転可能に保持され、少なくとも１個のホルダ部に便器装置を作動可能なロール状のリモコンが保持される。このため、トイレットペーパロールとリモコンとがトイレ室内の一箇所に設けられ、そのトイレットペーパロールを使用可能であるとともに、そのリモコンにより便器装置を作動可能である。このリモコンの脱着も容易であることから、多列トイレットペーパホルダからそのリモコンを外し、手元でそれを操作することも可能である。
【００１０】
したがって、使用者は、使用中のトイレットペーパロールとリモコンとを真に利用しやすく、かつトイレ室の整頓も行い得る。
【００１７】
【発明の実施の形態】
以下、本発明を具体化した実施形態１〜３を図面を参照しつつ説明する。
（実施形態１）
実施形態１のトイレ室では、図４と同様、シャワートイレ一体型の便器装置９２が設けられている。この便器装置９２の周辺の壁面９１に図１に示す二列トイレットペーパホルダ１０が固定されている。この二列トイレットホルダ１０は、本来２個のトイレットペーパロールを回動可能に保持しながら並列させることができるホルダ部２０、３０を有している。
【００１８】
この二列トイレットペーパホルダ１０の使用方法として、まず、一方のホルダ部２０には、使用中のトイレットペーパロール２２を回動可能に保持している。このトイレットペーパロール２２に巻かれているトイレットペーパ２４はホルダ部２０に揺動可能に設けられた紙切板２６により切断可能になっている。また、他方のホルダ部３０には、トイレットペーパロール２２と同じ形をしたロール状のリモコン３２が保持されている。このリモコン３２はトイレ室内に設けられた便器装置９２（図４参照）を作動させるためのものである。このリモコン３２は回動不能にホルダ部３０に設けることが好ましい。
【００１９】
以上のように二列トイレットペーパホルダ１０を使用すると、トイレットペーパロール２２とリモコン３２とをトイレ室内の一箇所に設けることができる。このため、便器装置９２（図４参照）の使用者は、便座に着座したままの姿勢により、そのトイレットペーパロール２２を使用可能であるとともに、そのリモコン３２により便器装置（図４参照）を作動可能である。さらに、リモコン３２は、トイレットペーパロール２２がホルダ部２０に保持されている構成と同様にホルダ部３０に保持されているため、リモコン３２の脱着が容易である。このため、その使用者は、二列トイレットペーパホルダ１０からそのリモコン３２を外すことによって、手元でリモコン３２を操作することも可能である。
【００２０】
したがって、使用者は、使用中のトイレットペーパロール２２とリモコン３２とを真に利用しやすく、かつトイレ室の整頓も行い得る。
【００２１】
（実施形態２）
実施形態２のトイレットペーパホルダ１０の使用方法では、図２に示すように、一方のホルダ部２０に使用中のトイレットペーパロール２２を回動可能に保持しており、他方のホルダ部３０にトイレットペーパロール２２と同じ形をしたロール状の芳香剤３９を保持している。この芳香剤３９は回動可能又は回動不能にホルダ部３０に設けられ得る。
【００２２】
以上のように二列トイレットペーパホルダ１０を使用すると、トイレットペーパロール２２と芳香剤３９とをトイレ室内の一箇所に設けることができる。このため、使用者はそのトイレットペーパロール２２を使用可能であるとともに、その芳香剤３９によりトイレ室内に芳香が漂うこととなる。さらに、芳香剤３９は、トイレットペーパロール２２がホルダ部２０に保持されている構成と同様にホルダ部３０に保持されているため、この芳香剤３９の脱着も容易である。このため、二列トイレットペーパホルダ１０からその芳香剤３９を外すことによって、新品の芳香剤３９への交換も容易である。
【００２３】
したがって、使用者は、使用中のトイレットペーパロール２２と芳香剤３９とを真に利用しやすく、かつトイレ室の整頓も行い得る。
【００２４】
（実施形態３）
実施形態３のトイレットペーパホルダ１０の使用方法として、図３に示すように、一方のホルダ部２０に使用中のトイレットペーパロール２２を回動可能に保持しており、他方のホルダ部３０にも一方のホルダ部２０と同様に補充用のトイレットペーパロール３４ａを回動可能に保持している。そのトイレットペーパロール３４ａにはエンドレスな帯材により構成された収納ベルト３８を巻き掛けており、この収納ベルト３８内には、トイレットペーパロール３４ａを含み、他にトイレットペーパロール３４ｂ〜３４ｄを有する計４個の補充用のトイレットペーパロール３４が平行に収納されている。
【００２５】
以上のように二列トイレットペーパホルダ１０を使用すると、使用中のトイレットペーパロール２２と収納ベルト３８に収納された補充用のトイレットペーパロール３４とをトイレ室内の一箇所に設けることができる。このため、トイレットペーパロール２２を使用可能であるとともに、補充用に多くのトイレットペーパロール３４を確保することができる。また、収納ベルト３８に収納されたトイレットペーパロール３４ｂ〜３４ｄは収納ベルト３８から容易に脱着でき、さらに、ホルダ部３０に保持されたトイレットペーパロール３４ａもホルダ部３０から容易に脱着できる。このため、トイレットペーパロール３４の補充が容易である。
【００２６】
したがって、使用者は、トイレットペーパロール２２を安心して使用でき、かつトイレ室の整頓も行い得る。
【００２７】
なお、上記実施形態１〜３では、多列トイレットペーパホルダを二列トイレットペーパホルダとして具体化したが、三列以上のトイレットペーパホルダに具体化することも可能である。
【図面の簡単な説明】
【図１】実施形態１の二列トイレットペーパホルダの使用方法に係り、トイレットペーパロール及びリモコンの斜視図である。
【図２】実施形態２の二列トイレットペーパホルダの使用方法に係り、トイレットペーパロール及び芳香剤の側面図である。
【図３】実施形態３のに二列トイレットペーパホルダの使用方法に係り、トイレットペーパロール及び収納ベルトの斜視図である。
【図４】従来のトイレ室の側面図である。
【図５】従来の二列トイレットペーパーホルダの斜視図である。
【符号の説明】
２２、３４…トイレットペーパロール
２０、３０…ホルダ部
１０…二列トイレットペーパホルダ
３２…リモコン
３９…芳香剤
３８…収納ベルト
【図１】
0003986724.tif 000002
【図２】
0003986724.tif 000003
【図３】
0003986724.tif 000004
【図４】
0003986724.tif 000005
【図５】
0003986724.tif 000006